(57)【特許請求の範囲】
【請求項１】
通信回路網に接続され発呼端末からの音声を記録可能にしたボイスメールセンター、該通信回路網に接続される基地局及び該基地局と無線により接続される少なくとも１つの端末を有する無線通信システムにおいて、
上記基地局または上記端末のボイスメールセンターへのアクセスに応じて、上記ボイスメールセンターから出力されたボイスメールを、上記基地局内の記録手段に記録し、
上記基地局または上記端末のボイスメール再生要求に対し、上記基地局の上記記録手段に記録されたボイスメールを要求元で再生可能にしたことを特徴とする無線通信システム。
【請求項２】
上記ボイスメールセンターへのアクセスは、上記基地局または上記端末が所定時間毎に行なうことを特徴とする請求項１記載の無線通信システム。
【請求項３】
上記ボイスメールセンターへのアクセスは、上記基地局または上記端末に設けられた専用キーの操作によって行なうことを特徴とする請求項１記載の無線通信システム。
【請求項４】
上記ボイスメールセンターへのアクセスは、上記端末の通信が終了する際に、上記ボイスメールセンターにボイスメールが記録された旨を示す通知を、上記基地局または上記端末が受けたときに行なうことを特徴とする請求項１記載の無線通信システム。
【請求項５】
上記記録手段は、端末固有の情報とともにボイスメールを記録し、上記端末のボイスメール再生要求に対し、該端末の固有の情報に対応するボイスメールのみを再生可能にしたことを特徴とする請求項１記載の無線通信システム。
【請求項６】
通信回路網に接続され発呼端末からの音声を記憶可能にしたボイスメールセンター、該通信回路網に接続される基地局装置及び該基地局装置と無線により接続される少なくとも１つの端末を有する無線通信システムの基地局装置において、
所定のタイミングで上記ボイスメールセンターにアクセスし、該アクセスに応じて上記ボイスメールセンターから出力されたボイスメールを記憶する記憶手段と、
上記端末との無線回線の接続が可能か否かを検出する検出手段と、
この検出手段により上記端末との無線回線の接続が可能であると検出すると、上記記憶手段にボイスメールが記憶されている旨を示す情報を該端末に送信する送信手段と
を有することを特徴とする無線通信システムの基地局装置。
【請求項７】
上記所定のタイミングは、所定時間毎であることを特徴とする請求項６記載の無線通信システムの基地局装置。
【請求項８】
上記ボイスメールセンターへアクセスする所定のタイミングを指示するキー入力手段をさらに有することを特徴とする請求項６記載の無線システムの基地局装置。
【請求項９】
上記ボイスメールセンターへアクセスする所定のタイミングは、上記端末からアクセスする指示要求があったときであることを特徴とする請求項６記載の無線システムの基地局装置。
【請求項１０】
上記記憶手段は、端末毎に固有の情報とともにボイスメールを記憶し、
上記検出手段により所定端末との接続が可能であると検出すると、この検出された上記所定端末に固有の情報とともに記憶されたボイスメールを上記記憶手段から検索するボイスメール検索手段をさらに有し、
上記送信手段は、このボイスメール検索手段により検索されたボイスメールがあると、上記所定端末にボイスメールが記憶されている旨を示す信号を送信することを特徴とする請求項６記載の無線通信システムの基地局装置。
【発明の詳細な説明】
【０００１】
【発明の属する技術分野】
本発明は、ボイスメールサービス機能を有する無線通信システムとその基地局装置に関するものである。
【０００２】
【従来の技術】
最近、無線通信システムとしてのＰＨＳ（パーソナル・ハンディホン・システム）が実用化されている。この通信システムでは、１台のＰＨＳ端末で、家庭や会社などの室内に加え、屋外でも基地局（親機）を介して通信できるようになっているが、ＰＨＳ端末の場合、基地局との間の通信可能な範囲が比較的せまいため、ＰＨＳ端末が通信可能な圏内エリアの外に出ることは度々あり、また、ＰＨＳ端末の電源には電池が用いられるため、電池消耗を最小限に抑えることから自動的に電源オフすることもある。
【０００３】
このためにＰＨＳ端末では、通信可能な圏内エリアの外にあったり、電源オフの状態で、他の相手から着信があると、この着呼に対して接続することができないことがあった。
【０００４】
そこで従来、このような着呼に対して、ＰＨＳ端末が通信可能な圏内エリアの外にあったり、電源をオフしているなどにより、着呼設定が確立してから一定時間、ＰＨＳ端末側でオフフックしなかったような場合、発呼側の他の相手をボイスメールセンターに接続して、所定のメッセージの受渡しなどのサービスを提供するボイスメールサービス機能を付加したものも考えられている。
【０００５】
【発明が解決しようとする課題】
ところが、このようなボイスメールサービス機能を付加したものでは、ボイスメールセンターにボイスメイルが届いているか確認するのは、ＰＨＳ端末の通話終了時の回線切断表示により通知されるようになっているため、ボイスメールが届いているか否かを積極的に知るには、不必要な通話などの動作を必要とし、また、ボイスメールが届いていると確認した後にその内容を取出すには、さらにボイスメールセンターにアクセスするための面倒な操作を必要とする問題があった。
【０００６】
本発明は上記のような実情に鑑みてなされたもので、その目的とするところは、ボイスメールの確認と取出しを簡単に行なうことができる無線通信システムとその基地局装置を提供することにある。
【０００７】
【課題を解決するための手段】
請求項１記載の発明は、通信回路網に接続され発呼端末からの音声を記録可能にしたボイスメールセンター、該通信回路網に接続される基地局及び該基地局と無線により接続される少なくとも１つの端末を有する無線通信システムにおいて、上記基地局または上記端末のボイスメールセンターへのアクセスに応じて、上記ボイスメールセンターから出力されたボイスメールを、上記基地局内の記録手段に記録し、上記基地局または上記端末のボイスメール再生要求に対し、上記基地局の上記記録手段に記録されたボイスメールを要求元で再生可能にしたことを特徴とする。
【０００８】
このようなシステム構成とすれば、ボイスメールセンター内に記録された発呼端末からのボイスメールを基地局内の記録手段に取込むようにしたので、基地局または該基地局と無線により接続される端末からは、通常の留守録機能を使用する要領で自己宛のボイスメールの確認と取出しを行なうことができる。
【００１１】
請求項２記載の発明は、上記請求項１記載の発明において、上記ボイスメールセンターへのアクセスは、上記基地局または上記端末が所定時間毎に行なうことを特徴とする。
【００１２】
このようなシステム構成とすれば、上記請求項１記載の発明の作用に加えて、所定時間毎に定期的にボイスメールセンターのボイスメールを基地局内の記録手段に取込むようにしているので、常に最新のボイスメールを記録手段に収めることができる。
【００１３】
請求項３記載の発明は、上記請求項１記載の発明において、上記ボイスメールセンターへのアクセスは、上記基地局または上記端末に設けられた専用キーの操作によって行なうことを特徴とする。
【００１４】
このようなシステム構成とすれば、上記請求項１記載の発明の作用に加えて、基地局または該基地局と無線により接続される端末に設けられた専用キーを操作することにより、所望するタイミングで、ボイスメールセンターへのアクセスに応じて、ボイスメールセンターから出力されたボイスメールを基地局内の記録手段に取込むことができる。
【００１５】
請求項４記載の発明は、上記請求項１記載の発明において、上記ボイスメールセンターへのアクセスは、上記端末の通信が終了する際に、上記ボイスメールセンターにボイスメールが記録された旨を示す通知を、上記基地局または上記端末が受けたときに行なうことを特徴とする。
【００１６】
このようなシステム構成とすれば、上記請求項１記載の発明の作用に加えて、上記端末が他との通信を終了したときに続けてボイスメールを取込む作業に移行することができる。
【００１７】
請求項５記載の発明は、上記請求項１記載の発明において、上記記録手段は、端末固有の情報とともにボイスメールを記録し、上記端末のボイスメール再生要求に対し、該端末の固有の情報に対応するボイスメールのみを再生可能にしたことを特徴とする。
【００１８】
このようなシステム構成とすれば、上記請求項１記載の発明の作用に加えて、基地局と無線により接続される端末からのボイスメール再生要求に対し、この端末の固有の情報に対応するボイスメールのみを再生するようになるので、基地局に対し複数台の端末が無線により接続されて使用されるような場合も、各端末に対応するボイスメールのみを再生するようにできる。
【００１９】
請求項６記載の発明は、通信回路網に接続され発呼端末からの音声を記憶可能にしたボイスメールセンター、該通信回路網に接続される基地局装置及び該基地局装置と無線により接続される少なくとも１つの端末を有する無線通信システムの基地局装置において、所定のタイミングで上記ボイスメールセンターにアクセスし、該アクセスに応じて上記ボイスメールセンターから出力されたボイスメールを記憶する記憶手段と、上記端末との無線回線の接続が可能か否かを検出する検出手段と、この検出手段により上記端末との無線回線の接続が可能であると検出すると、上記記憶手段にボイスメールが記憶されている旨を示す情報を該端末に送信する送信手段とを有することを特徴とする。
【００２０】
このような構成とすれば、記憶容量や消費電力の制限を受けない基地局の記憶手段に、ボイスメールセンターに記憶された発呼端末からのボイスメールを取込むとともに、端末との無線回線の接続が可能であると検出すると、該記憶手段にボイスメールが記憶されている旨を示す情報を該端末に送信するようにできるので、端末は、通常の留守録機能を使用する要領で、自己宛のボイスメールの確認と取出しを行なうことができる。
【００２１】
請求項７記載の発明は、上記請求項６記載の発明において、上記所定のタイミングは、所定時間毎であることを特徴とする。
このような構成とすれば、上記請求項６記載の発明の作用に加えて、所定時間毎に定期的にボイスメールセンターのボイスメールを基地局内の記憶手段に取込むようにしているので、常に最新のボイスメールを記録手段に収めることができる。
【００２２】
請求項８記載の発明は、上記請求項６記載の発明において、上記ボイスメールセンターへアクセスする所定のタイミングを指示するキー入力手段をさらに有することを特徴とする。
【００２３】
このような構成とすれば、上記請求項６記載の発明の作用に加えて、基地局に設けられたキーを操作することにより所望するタイミングでボイスメールセンターからのボイスメールを取込むことができる。
【００２４】
請求項９記載の発明は、上記請求項６記載の発明において、上記ボイスメールセンターへアクセスする所定のタイミングは、上記端末からアクセスする指示要求があったときであることを特徴とする。
【００２５】
このような構成とすれば、上記請求項６記載の発明の作用に加えて、基地局と無線により接続される端末からのアクセスの指示要求に応じて、随時所望するタイミングで、ボイスメールセンターに記憶されたボイスメールを基地局内の記憶手段に取込むことができる。
【００２６】
請求項１０記載の発明は、上記請求項６記載の発明において、上記記憶手段は、端末毎に固有の情報とともにボイスメールを記憶し、上記検出手段により所定端末との接続が可能であると検出すると、この検出された上記所定端末に固有の情報とともに記憶されたボイスメールを上記記憶手段から検索するボイスメール検索手段をさらに有し、上記送信手段は、このボイスメール検索手段により検索されたボイスメールがあると、上記所定端末にボイスメールが記憶されている旨を示す信号を送信することを特徴とする。
【００２７】
このような構成とすれば、上記請求項６記載の発明の作用に加えて、記憶手段に端末毎に固有の情報を付加してボイスメールセンターに記録された発呼端末からのボイスメールを取込み、端末との無線回線の接続が可能であると検出すると、所定端末の固有の情報に基づいて記憶手段を検索し、該当ボイスメールがあると、上記所定端末にボイスメールが記憶されている旨を示す信号を送信するようにできるので、基地局に複数台の端末が無線により接続されて使用されるような場合でも、各端末に対応するボイスメールのみを再生させることができる。
【００３４】
【発明の実施の形態】
（第１の実施の形態）
以下図面を参照して本発明の第１の実施の形態について説明する。
図１は、本発明が適用される無線通信システムの概略構成を示している。図において、１は通信回線網で、この通信回線網１には、家庭エリアＨＡ内に設けられる自営基地局２、公衆エリアＰＡ内に設けられる公衆基地局３、事業所（会社）エリアＷＡ内に設けられる自営基地局４を接続し、これら自営基地局２、公衆基地局３、及び自営基地局４に対してＰＨＳ端末５を無線回線により接続している。
【００３５】
通信回線網１には、網監理局６及びボイスメールセンター７を接続している。網監理局６は、データベース８を接続している。このデータベース８は、ＰＨＳ端末５に関する加入者番号、課金情報、ＰＨＳ端末５の位置登録情報、ボイスメール有無の情報を記憶するものである。
【００３６】
また、ボイスメールセンター７は、所定のメッセージ情報を記憶するとともに、記録再生手段を有しており、ＰＨＳ端末５への着呼設定が確立してから一定時間応答がない場合には、発呼側にメッセージを流すとともに、発呼側からの要件メッセージを記録したり、記録済みのボイスメールを再生するなどのサービスを提供するものである。
【００３７】
図４は、ボイスメールセンター７の記録再生手段でのボイスメールの記録状況を示すもので、この場合、ＰＳ（ＰＨＳ端末）電話番号及び該ＰＨＳ端末の暗証番号とともに、再生済みメールを区別するための再生コードとボイスメールを最大＃１〜＃ＮのＮ個まで記録可能にしている。
【００３８】
図２は、このような無線通信システムに適用される基地局の概略構成を示している。以下、家庭エリアＨＡ内に設けられる自営基地局２を例に説明する。
この場合、１１はアンテナで、このアンテナ１１には送受信装置１２を接続している。この送受信装置１２は、周波数変換部とモデムで構成されるもので、周波数変換部の受信側では、アンテナ１１から入力された信号が送信／受信を振り分けるアンテナスイッチを介して入力され、ＰＬＬシンセサイザから出力される所定周波数の局部発振信号と混合することにより、１．９ＧＨｚ帯から１ＭＨｚ付近のＩＦ信号に周波数変換する。
【００３９】
一方、送信側では、モデムから入力されたπ／４シフトＱＰＳＫの変調波をＰＬＬシンセサイザから出力される所定周波数の局部発振信号と混合することにより１．９ＧＨｚ帯に周波数変換し、上記アンテナスイッチを介してアンテナ１１より輻射するようにしている。
【００４０】
また、モデムの受信側では、周波数変換部からのＩＦ信号が復調されＩＱデータに分離され、データ列になって通信制御部に転送するようにしている。一方、送信側では、通信制御部から転送されてきたデータからＩＱデータを生成し、π／４シフトＱＰＳＫに変調して周波数変換部に出力する。
【００４１】
そして、この送受信装置１２に、通信制御部１３、音声処理部１４を順に接続し、この音声処理部１４にＮＣＵ（Ｎｅｔｗｏｒｋ  Ｃｏｎｔｒｏｌ  Ｕｎｉｔ）１５を接続している。
【００４２】
ここで、通信制御部１３はフレーム同期及びスロットのデータフォーマット処理を行なうもので、受信側では、送受信部１２のモデムから送られてくる受信データから所定タイミングで１スロット分のデータを取出し、このデータの中からユニークワード（同期信号）を抽出してフレーム同期をとり、且つ制御データ部及び音声データ部のスクランブルなどを解除した後、制御データは後述する制御部１７に送り、音声データは音声処理部１４に転送する。
【００４３】
一方、送信側では、音声処理部１４から送られてくる音声データに制御データなどを付加し、スクランブルなどをかけた後にユニークワードなどを付加して１スロット分の送信データを作成し、所定タイミングでフレーム内の所定スロットに挿入して送受信部１２のモデムに送出する。
【００４４】
音声処理部１４は、スピーチコーディック及びＰＣＭコーディックにより構成され、このうちスピーチコーディックは、デジタルデータの圧縮／伸長処理を行なうもので、受信側では、通信制御部１３から送られてきたＡＤＰＣＭ音声信号（４ビット×８ＫＨｚ＝３２Ｋｂｐｓ）をＰＣＭ音声信号（８ビット×８ＫＨｚ＝６４Ｋｂｐｓ）に復号化することにより伸長してＰＣＭコーディックに出力する。一方、送信側では、ＰＣＭコーディックから送られてきたＰＣＭ音声信号をＡＤＰＣＭ音声信号に符号化することにより圧縮して通信制御部１３に出力する。
【００４５】
また、ＰＣＭコーディックは、アナログ／デジタル変換処理を行なうもので、受信側では、スピーチコーディックから送られてくるＰＣＭ音声信号をＤ／Ａ変換してアナログ音声信号をＮＣＵ１５に出力する。一方、送信側では、ＮＣＵ１５から入力されたアナログ音声信号をＡ／Ｄ変換してＰＣＭ音声信号をスピーチコーディックに出力する。
【００４６】
ＮＣＵ１５は、音声信号と通話音声の間の相互変換を行なうもので、ここではハンドセット１６を接続するとともに、上述した通信回線網１に接続している。そして、これら送受信部１２、通信制御部１３、音声処理部１４及びＮＣＵ１５には、制御部１７を接続し、この制御部１７にＲＯＭ１８、ＲＡＭ１９、ボイスメール記録再生部２０、キー入力部２１及び表示部２２を接続している。
【００４７】
ここで制御部１７は、所定のプロトコルに基づいて装置全体を制御するものである。
ＲＯＭ１８は、制御部１７での制御プログラムを記憶したものである。また、ＲＡＭ１９は、制御部１７での制御により取扱われるデータを一時記憶するものである。
【００４８】
ボイスメール記録再生部２０は、制御部１７より出力されるボイスメールセンター７のアクセス信号により起動され、ボイスメールセンー７から送られてくるボイスメールを記録するとともに、この記録されたボイスメールをＰＨＳ端末５からの要求に応じて読出すことができるようになっている。
【００４９】
図５は、ボイスメール記録再生部２０でのボイスメールの記録状況を示すもので、ＰＳ（ＰＨＳ端末）電話番号と該ＰＨＳ端末の暗証番号とともに、ボイスメールを最大＃１〜＃ＮのＮ個まで記録可能にしている。
【００５０】
なお、このボイスメール記録再生部２０は、留守番記録再生装置と共用すれば１つの装置で２つの機能を実現できる。
キー入力部２１は、各機能を設定するためのキー操作信号を制御部１７に入力するためのものである。表示部２２は、例えばドットマトリクスタイプの液晶表示パネルとその駆動回路で構成され、各種制御のための入力データ及び結果などを表示するものである。
【００５１】
なお、上記構成は、家庭エリアＨＡの自営基地局２の構成例を示しているが、事業所（会社）エリアＷＡ内に設けられる自営基地局４においても基本的に同一であり、事業所用の自営基地局４は、上記構成の親機として必要なハンドセット１６、キー入力部２１、及び表示部２２を削除したものとすればよい。
【００５２】
次に図３によりＰＨＳ端末５の概略構成を示す。
この場合、３１はアンテナで、このアンテナ３１には送受信装置３２を接続している。そして、この送受信装置３２に通信制御部３３、音声処理部３４を順に接続し、この音声処理部３４に受話側のスピーカ３５、送話側のマイクロフォン３６を接続している。この場合の音声処理部３４もスピーチコーディック及びＰＣＭコーディックにより構成され、スピーチコーディックから送られてくるＰＣＭ音声信号をＰＣＭコーディックでＤ／Ａ変換してアナログ音声信号をスピーカ３５に出力し、一方、マイクロフォン３６から入力されたアナログ音声信号をＡ／Ｄ変換してＰＣＭ音声信号をスピーチコーディックに出力するようにしている。
【００５３】
さらに、これら送受信部３２、通信制御部３３、音声処理部３４に、制御部３７を接続し、この制御部３７にＲＯＭ３８、ＲＡＭ３９、キー入力部４０、及び表示部４１を接続している。
【００５４】
この場合、これら各部の詳細は上記図２で述べた自営基地局２の構成と同様なので、ここでの説明は省略する。
次に以上のように構成した実施の形態の動作を説明する。
【００５５】
この場合、家庭エリアＨＡ内に設けられる自営基地局２と該自営基地局２に無線回線を介して接続されるＰＨＳ端末５について説明する。
いま、通信回線網１より自営基地局２を介してＰＨＳ端末５に着呼があると、着呼側のＰＨＳ端末５での応答を待って通話に移行される。また、仮に、着呼に対しＰＨＳ端末５側で着呼設定を確立してから一定時間応答がないと、ボイスメールセンター７に切り替わり、発呼側に所定のメッセージが流れるとともに、発呼側からの要件メッセージが記録再生手段に記録される。
【００５６】
このようにして、ボイスメールセンター７の記録再生手段には、図４に示すようにＰＨＳ端末５に該当するＰＳ電話番号及び暗証番号に対応させて、＃１〜＃Ｎのボイスメールが順次記録される。
【００５７】
この状態から、まず図６に示すフローチャートにおいて、自営基地局２では、ステップ６０１で、一定時間経過しているかを判断し、一定時間経過していれば、ステップ６０２で、ボイスメールセンター７に自動的にアクセスする。この場合、自営基地局２は、ボイスメールセンター７に対し、該自営基地局２が取り扱うＰＨＳ端末５に該当するＰＳ電話番号及び暗証番号を送信するとともに、ボイスメール有無の問い合わせ指示を行なう。
【００５８】
ボイスメールセンター７では、ステップ７０１で、自営基地局２からのアクセスがあったことを判断すると、ステップ７０２で、図４に示す記録内容からＰＳ電話番号及び暗証番号に該当するボイスメールを検索する。そして、ステップ７０３で、図４に示す＃１〜＃Ｎのボイスメールのうち、再生コードに書き込みが無いものを新たなボイスメールとみなして、新しいボイスメールが存在するかを判断する。
【００５９】
ここで、新しいボイスメールが存在しない場合は、処理を終了する。一方、新しいボイスメールが存在すると、ステップ７０４で、該当する新しいボイスメールを読出し再生して、これを自営基地局２に送信する。
【００６０】
そして、ステップ７０５で、読出した後のボイスメールに再生コードを書き込む。さらに、ステップ７０６で、新しいボイスメールの全ての読出しが終了したかを判断する。ここで、全て終了していれば、処理を終了し、さらに新しいボイスメールが存在する場合は、ステップ７０７で、次のボイスメールを読出し、ステップ７０４に戻って、さらに、次のボイスメールの読出し再生を繰り返すようになる。
【００６１】
一方、自営基地局２では、ボイスメールセンター７より再生されたボイスメールを受信すると、ステップ６０３で、ボイスメール記録再生部２０に記録する。この場合、ボイスメール記録再生部２０では、図５に示すようにＰＨＳ端末５に該当するＰＳ電話番号及び暗証番号に対応させてボイスメールセンター７より送られてきたボイスメールを記録する。
【００６２】
そして、ステップ６０４でボイスメールセンター７より新しいボイスメールの記録を全て終了したかを判断する。ここで終了していれば、ステップ６０５で、新たなボイスメールが記録された旨を表示するランプを点灯して、ステップ６０１に戻り、次の一定時間経過の後の動作に備える。一方、さらに新しいボイスメールが送られてくる場合は、ステップ６０３に戻ってさらにボイスメールの記録を続けるようになる。
【００６３】
図７は、このようにしてボイスメール記録再生部２０にボイスメールを順次記録した自営基地局２に対してＰＨＳ端末５よりボイスメールを読出す場合のフローチャートを示している。
【００６４】
この場合、ＰＨＳ端末５ではまず、ステップ８０１で自営基地局２に接続するための制御チャネルを引込む。そして、ステップ８０２で自営基地局２にアクセスする。
【００６５】
自営基地局２では、ステップ９０１でＰＨＳ端末５からのアクセスがあったことを判断すると、ステップ９０２でボイスメール記録再生部２０の図５に示す記録内容からＰＨＳ端末５に付与されているＰＳ電話番号及び暗証番号に対応するボイスメールを検索する。そして、ここでボイスメール有りを検出すると、ステップ９０３でボイスメール有り信号をＰＨＳ端末５に送信する。
【００６６】
ＰＨＳ端末５では、ステップ８０３でボイスメール有りを表示する。そして、ステップ８０４で自営基地局２からの終了コードを受取るまで、ステップ８０５でイベントが可能になる。この場合、キー入力部４０よりＰＬＡＹ／ＦＦ／ＲＥＷを操作すると、ステップ８０６で自営基地局２のボイスメール記録再生部２０に対する再生処理を実行し、ＤＥＬを操作すると、ステップ８０７で、ＤＥＬコードを送出し、さらにＳＴＯＰを操作すると、ステップ６０８でＳＴＯＰコードを送出する。
【００６７】
これに対して、自営基地局２ではＰＨＳ端末５のステップ８０５でのイベントにより、ステップ９０４で制御信号を受取ると、以下の動作を実行する。この場合、まずＰＬＡＹ／ＦＦ／ＲＥＷ操作に対しては、ステップ９０５で再生処理を実行する。また、ＤＥＬ操作によるＤＥＬコードに対しては、ステップ９０６でボイスメールの削除を実行し、さらにＳＴＯＰ操作によるＳＴＯＰコードに対してはステップ９０７で再生ストップを実行するようになる。
【００６８】
その後、自営基地局２のステップ９０８で終了を判断すると、ステップ９０９で終了コードをＰＨＳ端末５に送信する。
ＰＨＳ端末５では、ステップ８０４で自営基地局２からの終了コードを受取ると、ステップ８０９で再生終了を表示し、以上で処理を終了する。
【００６９】
図８は自営基地局２のボイスメール記録再生部２０に対するＰＨＳ端末５での再生処理のフローチャート、図９はＰＨＳ端末５での再生処理に対する自営基地局２での再生処理のフローチャートを示している。
【００７０】
この場合、ＰＨＳ端末５ではステップ１００１のイベントでＦＦを操作するとステップ１００２でＦＦコードを送出し、ＲＥＷを操作するとステップ１００３でＲＥＷコードを送出する。さらにＰＬＡＹを操作すると、ステップ１００４でＰＬＡＹコードを送出する。
【００７１】
これに対して、自営基地局２ではステップ１１０１で制御信号を受取ると、ＦＦコードに対してはステップ１１０２でボイスメール記録再生部２０より読出すべきボイスメールの早送り処理を実行し、ＲＥＷコードに対してはステップ１１０３でボイスメール記録再生部２０より読出すべきボイスメールの早戻し処理を実行する。また、ＰＬＡＹコードに対してはステップ１１０４でボイスメール記録再生部２０よりボイスメールを読出して再生を実行する。そして、ＰＨＳ端末５のステップ１００５でボイスメール記録再生部２０からの再生ボイスメールをＰＨＳ端末５に聞かせるようになる。
【００７２】
したがって、このようにすれば、一定時間経過毎に自営基地局２がボイスメールセンター７にアクセスして該自営基地局２が取扱うＰＨＳ端末５に該当ボイスメールを読出し、これらを自営基地局２内のボイスメール記録再生部２０にＰＨＳ端末５に該当するＰＳ電話番号及び暗証番号に対応させて記録しておき、その後にＰＨＳ端末５よりボイスメール再生要求があると、該ＰＨＳ端末５に該当するＰＳ電話番号及び暗証番号に対応するボイスメールのみを読出し、ＰＨＳ端末５に再生するようにしているので、ＰＨＳ端末５からは通常の留守録機能を使用する要領で自己宛のボイスメールの確認と取出しを行なうことができ、従来のＰＨＳ端末からボイスメールセンターにボイスメールが届いているかを確認し、その後にさらにボイスメールセンターにアクセスするような操作を行なうものと比べ、これらボイスメールの確認と取出しのための操作を簡単にできる。
【００７３】
また、一定時間経過毎、つまり所定時間毎に定期的にボイスメールセンター７のボイスメールを自営基地局２に取込むようにしているので、常に最新のボイスメールをボイスメール記録再生部２０に収めることができる。
【００７４】
なお、上述した第１の実施の形態では、自営基地局２に対して、１台のＰＨＳ端末５を接続したものを述べたが、複数台のＰＨＳ端末５を接続してもよい。この例としては、事業所（会社）エリア内に設けられる自営基地局４とＰＨＳ端末５の場合が考えられる。この場合、自営基地局４のボイスメール記録再生部２０は上述したＰＳ（ＰＨＳ端末）電話番号と該ＰＨＳ端末の暗証番号に対応させて、ボイスメールを記憶することにより、それぞれのＰＨＳ端末５について、対応するボイスメールのみを再生して聞かせるようにできる。
【００７５】
（第２の実施の形態）
以下図面を参照して本発明の第２の実施の形態について説明する。
しかるに、本発明が適用される無線通信システムの概略構成については上記図１と、またこのような無線通信システムに適用される基地局の概略構成については上記図２とそれぞれ同様であるものとして、同一部分は同一符号を用いてその図示及び説明を省略する。
【００７６】
さらに、図１０はＰＨＳ端末５の概略構成を示すものであるが、その主要な構成は上記図３に示した通りであるので、同一部分は同一符号を用いてその説明も省略するものとする。
【００７７】
そして、端末５にはさらにボイスメール記録再生部４２を接続する。このボイスメール記録再生部４２は、制御部３７より出力されるボイスメールセンター７へのアクセス信号により起動され、ボイスメールセンー７から基地局を介して送られてくるボイスメールを記録するとともに、この記録されたボイスメールをキー入力部４０でのキー操作に応じて読出すことができるようになっている。
【００７８】
次に以上のように構成した実施の形態の種々の動作を説明する。
まず第１の動作例として、ＰＨＳ端末５を公衆エリアＰＡ内で使用し、公衆基地局３を介して他者との通話を行なった場合のボイスメールセンター７からのボイスメールの受信動作について説明する。
【００７９】
図１１はそのときのＰＨＳ端末５と他者、及びボイスメールセンター７の接続状態を示すものである。ＰＨＳ端末５が公衆基地局３及び通信回線網１を介して他者との通話を行ない（ステップＳ１１）、その後に通話が終了して切断処理を行なうと、通信回線網１を介してボイスメールセンター７から自機宛てのボイルメールがある旨の通知を受信する（ステップＳ１２）。
【００８０】
この通知を受信したＰＨＳ端末５は、自動的にボイスメールセンター７に対して発呼信号を送出し、発呼処理を行なうもので（ステップＳ１３）、この発呼処理に基づいてＰＨＳ端末５とボイスメールセンター７との間で通話状態となると、ボイスメールセンター７からＰＨＳ端末５に対して記録していたボイスメールが再生されて送信され、ＰＨＳ端末５では通話の開始と同時に自動的に録音をスタートさせて、送られてきたボイスメールをボイスメール記録再生部４２に記録させる（ステップＳ１４）。
【００８１】
その後、ボイスメールセンター７で記録されていたすべてのボイスメールの受信を終了し、ボイスメール記録再生部４２への録音が終了した時点でＰＨＳ端末５は、通話を終了させるべく切断信号を送出して切断処理を行なう（ステップＳ１５）。
【００８２】
以上のような動作を行なうことにより、ボイスメールセンター７に記録、保存されているボイスメールがＰＨＳ端末５で再生されないままに消去されてしまう確率を大幅に削減することができると共に、ボイスメールセンター７にアクセスして記録されているボイスメールを受信する際の手間を大幅に簡略化することができる。
【００８３】
また、一旦ボイスメールセンター７からボイスメールを受信してボイスメール記録再生部４２に記録してしまえば、その後何回そのボイスメールをボイスメール記録再生部４２から再生させたとしても、通話料金が課金されることはない。
【００８４】
次に第２の動作例として、家庭エリアＨＡ内で自営基地局（ＨＢＳ）２のキー入力部２１に備えられているボイスメールの転送を指示する専用キーを操作した場合のボイスメールセンター７からのボイスメールの受信動作について説明する。
【００８５】
図１２はそのときの自営基地局２とボイスメールセンター７の接続状態を示すものである。上述した自営基地局２のキー入力部２１の専用キーを押圧操作すると、自営基地局２はこの操作に対応してボイスメールセンター７に対して発呼信号を送出し、発呼処理を行なうもので（ステップＳ２１）、この発呼処理に基づいて自営基地局２とボイスメールセンター７との間で通話状態となると、ボイスメールセンター７から自営基地局２に対して記録していたボイスメールが再生されて送信され、自営基地局２では通話の開始と共に自動的に録音をスタートさせて、送られてきたボイスメールをボイスメール記録再生部２０に記録させる（ステップＳ２２）。
【００８６】
その後、ボイスメールセンター７で記録されていたすべてのボイスメールの受信を終了し、ボイスメール記録再生部２０への録音が終了した時点で自営基地局２は、通話を終了させるべく切断信号を送出して切断処理を行なう（ステップＳ２３）。
【００８７】
以上のような動作を行なうことにより、自営基地局２はＰＨＳ端末５に比して携帯性や消費電力の制約を受けることがなく、より記録容量の大きなメモリやあるいは磁気テープを用いたテープレコーダ等をボイスメール記録再生部２０として採用することができるため、ＰＨＳ端末５のボイスメール記録再生部４２よりも多くのボイスメールを記録させておくことができる。
【００８８】
次に、第３の動作例として、ＰＨＳ端末５を家庭エリアＨＡ内または公衆エリアＰＡ内で使用し、自営基地局（ＨＢＳ）２または公衆基地局３を介して他者との通話を行なった際に、自営基地局２でボイスメールセンター７からのボイスメールを受信させる動作について説明する。
【００８９】
図１３はそのときのＰＨＳ端末５と他者、自営基地局２、及びボイスメールセンター７の接続状態を示すものである。ＰＨＳ端末５が自営基地局２を介して他者との通話を行ない（ステップＳ３１）、その後に通話が終了して切断処理を行なうと、通信回線網１を介してボイスメールセンター７から自機宛てのボイスメールがある旨の通知を受信する（ステップＳ３２）。
【００９０】
この通知を受信したＰＨＳ端末５は、自動的に一旦家庭エリアＨＡの自営基地局２を介してボイスメールセンター７に対して発呼信号を送出させて、自営基地局２経由でボイスメールセンター７への発呼処理を行なわせるもので（ステップＳ３３）、この発呼処理に基づいてＰＨＳ端末５と自営基地局２の間及び自営基地局２とボイスメールセンター７との間で通話状態となると、ボイスメールセンター７から自営基地局２に対して記録していたボイスメールが再生されて送信され、自営基地局２ではボイスメールセンター７との通話の開始と同時に自動的に録音をスタートさせて、ボイスメールセンター７から送られてきたボイスメールをボイスメール記録再生部２０に記録させると共にＰＨＳ端末５に同時に再生させる（ステップＳ３４）。
【００９１】
その後、ボイスメールセンター７で記録されていたすべてのボイスメールの受信を終了し、自営基地局２のボイスメール記録再生部２０への録音が終了した時点で、ＰＨＳ端末５は通話を終了させるべく切断信号を自営基地局２を介してボイスメールセンター７へ送出させて、ＰＨＳ端末５と自営基地局２の間、及び自営基地局２とボイスメールセンター７の間の双方の切断処理を行なわせる（ステップＳ３５）。
【００９２】
また、ＰＨＳ端末５が公衆基地局３を介して他者との通話を行ない、その後に通話が終了して切断処理を行なうと、ボイスメールセンター７から自機宛てボイスメールがある旨の通知を受信する。この通知を受信したＰＨＳ端末５は、自動的に公衆基地局３を介して自衛基地局２にボイスメールセンター７に発呼するように指示する。
【００９３】
この指示に基づいて自営基地局２は、ボイスメールセンター７に発呼し、ボイスメールセンター７と通話状態となるとボイスメールセンター７から送られてくるボイスメールを録音し、録音が終了するとＰＨＳ端末５に対して発呼し、その録音したボイスメールを送信する。そして、ＰＨＳ端末５は、この受信したボイスメールを再生し、再生が終了すると切断する。
【００９４】
ＰＨＳ端末５は、その後にあらためて家庭エリアＨＡの自営基地局２に対して発呼処理を行ない、通話状態を確立した上で自営基地局２のボイスメール記録再生部２０に記録されているボイスメールを再生させて送信させ、これを受信してその内容を確認することができる。
【００９５】
以上のような動作を行なうことにより、ＰＨＳ端末５が対応する自営基地局２の圏内である家庭エリアＨＡにある場合、あるいは家庭エリアＨＡを離れ、公衆エリアＰＡや事業所エリアＷＡにある場合のいずれであっても、ボイスメールセンター７に記録、保存されているボイルメールが読出されて再生されないままに消去されてしまう確率を大幅に削減することができると共に、当該ボイスメールを家庭エリアＨＡの自営基地局２に転送して記録させる際の手間を大幅に簡略化することができる。
【００９６】
また、自営基地局２はＰＨＳ端末５に比して携帯性や消費電力の制約を受けることがなく、より記録容量の大きなメモリやあるいは磁気テープを用いたテープレコーダ等をボイスメール記録再生部２０として採用することができるため、ＰＨＳ端末５のボイスメール記録再生部４２よりも多くのボイスメールを記録させておくことができる。
【００９７】
続いて、第４の動作例として、ＰＨＳ端末５を家庭エリアＨＡ内または公衆エリアＰＡ内で使用し、自営基地局（ＨＢＳ）２または公衆基地局３を介して他者との通話を行なった際に、このＰＨＳ端末５でボイスメールセンター７からのボイスメールを受信させる動作について説明する。
【００９８】
図１４はそのときのＰＨＳ端末５と他者、自営基地局２、及びボイスメールセンター７の接続状態を示すものである。ＰＨＳ端末５が自営基地局２または公衆基地局３と通信回線網１を介して他者との通話を行ない（ステップＳ４１）、その後に通話が終了して切断処理を行なうと、通信回線網１を介してボイスメールセンター７から自機宛てのボイルメールがある旨の通知を受信する（ステップＳ４２）。
【００９９】
この通知を受信したＰＨＳ端末５は、自動的に家庭エリアＨＡの自営基地局２に対して発呼信号を直接または公衆基地局３及び通信回線網１を介してボイスメールセンター７に対して発呼信号を送出させて、自営基地局２あるいは公衆基地局３経由でボイスメールセンター７への発呼処理を行なわせるもので（ステップＳ４３）、この発呼処理に基づいてＰＨＳ端末５と自営基地局２（公衆基地局３）の間及び自営基地局２（公衆基地局３）とボイスメールセンター７との間で通話状態となると、ボイスメールセンター７から自営基地局２（公衆基地局３）に対して記録していたボイスメールが再生されて送信され、ＰＨＳ端末５ではボイスメールセンター７との通話の開始と同時に自動的に録音をスタートさせて、ボイスメールセンター７から送られてきたボイスメールをボイスメール記録再生部４２に記録させると共に再生させる（ステップＳ４４）。
【０１００】
その後、ボイスメールセンター７で記録されていたすべてのボイスメールの受信を終了し、ＰＨＳ端末５のボイスメール記録再生部４２への録音が終了した時点で、ＰＨＳ端末５は通話を終了させるべく切断信号を自営基地局２へ直接または公衆基地局３及び通信回線網１を介して送出し、さらに切断信号をこの自営基地局２からボイスメールセンター７へ送出させて、ＰＨＳ端末５と自営基地局２の間、及び自営基地局２とボイスメールセンター７の間の双方の切断処理を行なわせる（ステップＳ４５）。
【０１０１】
ＰＨＳ端末５では、その後に自機内のボイスメール記録再生部４２に記録されているボイスメールを再生させることでその内容を確認することができる。
以上のような動作を行なうことにより、ＰＨＳ端末５が対応する自営基地局２の圏内である家庭エリアＨＡにある場合、あるいは家庭エリアＨＡを離れ、公衆エリアＰＡや事業所エリアＷＡにある場合のいずれであっても、ボイスメールセンター７に記録、保存されているボイルメールが読出されて再生されないままに消去されてしまう確率を大幅に削減することができると共に、当該ボイスメールをＰＨＳ端末５の自機内に転送して記録させる際の手間を大幅に簡略化することができる。
【０１０２】
また、転送されてきたボイスメールをＰＨＳ端末５自機内のボイスメール記録再生部４２に記録させることにより、このＰＨＳ端末５が家庭エリアＨＡ内にあるか、あるいは家庭エリアＨＡを離れて公衆エリアＰＡにあるかに拘らず、手軽にその内容を確認することができ、且つそのときに通話料金の課金等を気にする必要もない。
【０１０３】
なお、上記第２の実施の形態では、自営基地局２のボイスメール記録再生部２０とＰＨＳ端末５のボイスメール記録再生部４２のいずれか一方にボイスメールセンター７から送られてきたボイスメールを記録させるものとしたが、これはＰＨＳ端末５のある位置が家庭エリアＨＡ、公衆エリアＰＡ、及び事業所エリアＷＡのいずれであるか等の条件によって判定して記録先を選択するようにしてもよい。
【０１０４】
さらに、上記第１及び第２の実施の形態において、家庭エリアＨＡの自営基地局２はＰＨＳ端末５の親機として留守番機能を有するものとし、通常の留守番メッセージの記録部とボイスメールセンター７からのボイスメールを記録するボイスメール記録再生部４２とを共用するものとして、記録時に記録内容に応じた識別符号を付加することにより再生時には再生する対象を識別するものとしてもよい。
その他、本発明は上記各実施の形態によって制限されるものではなく、その要旨を逸脱しない範囲内で種々変形して実施することが可能であるものとする。
【０１０５】
【発明の効果】
請求項１記載の発明によれば、ボイスメールセンター内に記録された発呼端末からのボイスメールを基地局内の記録手段に取込むようにしたので、基地局または該基地局と無線により接続される端末からは、通常の留守録機能を使用する要領で自己宛のボイスメールの確認と取出しを行なうことができる。
【０１０７】
請求項２記載の発明によれば、上記請求項１記載の発明の効果に加えて、所定時間毎に定期的にボイスメールセンターのボイスメールを基地局内の記録手段に取込むようにしているので、常に最新のボイスメールを記録手段に収めることができる。
【０１０８】
請求項３記載の発明によれば、基地局または該基地局と無線により接続される端末に設けられた専用キーを操作することにより、所望するタイミングで、ボイスメールセンターへのアクセスに応じて、ボイスメールセンターから出力されたボイスメールを基地局内の記録手段に取込むことができる。請求項４記載の発明によれば、上記請求項１記載の発明の効果に加えて、上記端末が他との通信を終了したときに続けてボイスメールを取込む作業に移行することができる。
【０１０９】
請求項５記載の発明によれば、上記請求項１記載の発明の効果に加えて、基地局と無線により接続される端末からのボイスメール再生要求に対し、この端末の固有の情報に対応するボイスメールのみを再生するようになるので、基地局に対し複数台の端末が無線により接続されて使用されるような場合も、各端末に対応するボイスメールのみを再生するようにできる。
【０１１０】
請求項６記載の発明によれば、記憶容量や消費電力の制限を受けない基地局の記憶手段に、ボイスメールセンターに記憶された発呼端末からのボイスメールを取込むとともに、端末との無線回線の接続が可能であると検出すると、該記憶手段にボイスメールが記憶されている旨を示す情報を該端末に送信するようにできるので、端末は、通常の留守録機能を使用する要領で、自己宛のボイスメールの確認と取出しを行なうことができる。
【０１１１】
請求項７記載の発明によれば、上記請求項６記載の発明の効果に加えて、所定時間毎に定期的にボイスメールセンターのボイスメールを基地局内の記憶手段に取込むようにしているので、常に最新のボイスメールを記録手段に収めることができる。
【０１１２】
請求項８記載の発明によれば、上記請求項６記載の発明の効果に加えて、基地局に設けられたキーを操作することにより所望するタイミングでボイスメールセンターからのボイスメールを取込むことができる。
【０１１３】
請求項９記載の発明によれば、上記請求項６記載の発明の効果に加えて、基地局と無線により接続される端末からのアクセスの指示要求に応じて、随時所望するタイミングで、ボイスメールセンターに記憶されたボイスメールを基地局内の記憶手段に取込むことができる。
【０１１４】
請求項１０記載の発明によれば、上記請求項６記載の発明の効果に加えて、記憶手段に端末毎に固有の情報を付加してボイスメールセンターに記録された発呼端末からのボイスメールを取込み、端末との無線回線の接続が可能であると検出すると、所定端末の固有の情報に基づいて記憶手段を検索し、該当ボイスメールがあると、上記所定端末にボイスメールが記憶されている旨を示す信号を送信するようにできるので、基地局に複数台の端末が無線により接続されて使用されるような場合でも、各端末に対応するボイスメールのみを再生させることができる。
【図面の簡単な説明】
【図１】本発明の第１の実施の形態に係る概略構成を示す図。
【図２】同実施の形態に係る自営基地局の概略構成を示す図。
【図３】同実施の形態に係るＰＨＳ端末の概略構成を示す図。
【図４】同実施の形態に係るボイスメールの記録手段を説明するための図。
【図５】同実施の形態に係る自営基地局のボイスメール記録再生部を説明するための図。
【図６】同実施の形態に係る動作を説明するためのフローチャート。
【図７】同実施の形態に係る動作を説明するためのフローチャート。
【図８】同実施の形態に係る動作を説明するためのフローチャート。
【図９】同実施の形態に係る動作を説明するためのフローチャート。
【図１０】本発明の第２の実施の形態に係るＰＨＳ端末の概略構成を示す図。
【図１１】同実施の形態に係る動作を説明するための図。
【図１２】同実施の形態に係る動作を説明するための図。
【図１３】同実施の形態に係る動作を説明するための図。
【図１４】同実施の形態に係る動作を説明するための図。
【符号の説明】
１…通信回路網
２…自営基地局
３…公衆基地局
４…自営基地局
５…ＰＨＳ端末
６…網監理局
７…ボイスメールセンター
８…データベース
１１，３１…アンテナ
１２，３２…送受信装置
１３，３３…通信制御部
１４，３４…音声処理部
１５…ＮＣＵ
１６…ハンドセット
１７，３７…制御部
１８，３８…ＲＯＭ
１９，３９…ＲＡＭ
２０，４２…ボイスメール記録再生部
２１，４０…キー入力部
２２，４１…表示部
３５…スピーカ
３６…マイクロフォン
ＨＡ…家庭エリア
ＰＡ…公衆エリア
ＷＡ…事業所エリア
【図１】
0003755205.tif 000002
【図２】
0003755205.tif 000003
【図３】
0003755205.tif 000004
【図４】
0003755205.tif 000005
【図５】
0003755205.tif 000006
【図６】
0003755205.tif 000007
【図７】
0003755205.tif 000008
【図８】
0003755205.tif 000009
【図９】
0003755205.tif 000010
【図１０】
0003755205.tif 000011
【図１１】
0003755205.tif 000012
【図１２】
0003755205.tif 000013
【図１３】
0003755205.tif 000014
【図１４】
0003755205.tif 000015